Podtech/llm-jp-corpus-v4-ja_patent huggingface dataset:
(57)【要約】【課題】  暗所で花火をする場合でも点火しやすい光る導火線を提案する。【解決手段】  導火線に蛍光塗料もしくは夜光塗料を塗ることによって暗所でも導火線を見え易くする構造を特徴とする。【特許請求の範囲】
【請求項１】
夜間等に花火の導火線を見易くする目的で、蛍光塗料もしくは夜光塗料を塗った導火線。
【発明の詳細な説明】
【考案の詳細な説明】
【技術分野】
【０００１】  この発明は、夜間等に花火の導火線を見易くするために、花火の導火線に蛍光塗料もしくは夜光塗料を塗る事についてである。
【背景技術】
【０００２】  従来、夜間の花火は導火線が暗くて見えにくく、懐中電灯で照らすなどしなければ点火しづらかった。
【発明が解決しようとする課題】
【０００３】  夜間に花火等をすると、大抵は線香で導火線に点火するのだが、その際導火線が暗くて見えにくい為点火しにくく、懐中電灯で照らしながら点火した場合点火後逃げ遅れる場合がある。また、ライターなど比較的明るい炎で着火しようとした場合、ロケット花火等では花火本体をあぶってしまう事がある。
【課題を解決するための手段】
【０００４】  従来の花火の導火線に蛍光塗料もしくは夜光塗料を塗り、光る導火線を作る。
【発明を実施するための最良の形態】
【０００５】  花火の導火線全体もしくは先端に、蛍光塗料もしくは夜光塗料を塗る。
【発明の効果】
【０００６】  本案は、上述のような構造作用であるから、蛍光塗料を塗った場合は、暗所でも導火線部分が発光するため線香等でも点火し易い。また夜光塗料を塗った場合でも、少しの間明かり、例えば自動車のヘッドライトや懐中電灯などに導火線を照らしておけば、暗所で光り続け、暗所でも点火し易い。
【図面の簡単な説明】
【第１図】
発明の実施形態
【図１】
2005061811.tif 000002
(57)【要約】【課題】  従来の花火点火では、主に打ち上げ花火や爆竹等の花火は導火線点火後素早く離れなくてはならず、火種を扱うには火傷等の危険があった。【解決手段】  点火ヒータを備えた挟み具基体に導火線を固定、発熱線に接触点火させ、それによる発熱線の曲がりを戻す。【選択図】  図３
2005061813.tif 000002
【特許請求の範囲】
【請求項１】
挟み具基体（１６）に、挟み具（５）と、導火線の取り付けを容易にする突起部（１０、１１、１２、１３）を設け、電源とスイッチに繋がったリード線（４）と端子部（３）バネ（９）を備えた挟み具基体（１６）に、発熱線（１）を備えた点火ヒータ（２）を取り付け、端子部（１５）で押さえ、ネジ（１４）で固定して使用する花火等の導火線（７）を挟み、リード線（４）に繋がったスイッチにより発熱線（１）に接触点火してなる導火線点火装置。
【請求項２】
発熱線受け部（１７）を備えた板バネ（８）を、基体（１６）の回転部に取付け、発熱線の曲がりを戻すことを特徴とした導火線点火装置。
【発明の詳細な説明】
【技術分野】
【０００１】  本発明は打ち上げ花火や爆竹等の導火線にニクロム線等の発熱線を用いて安全な場所からの点火により火傷や事故を防ぐ導火線点火装置である。
【背景技術】
【０００２】  従来の電気点火装置は、電極棒や発熱線等を、火薬に備え電気を流し点火するものがある。【０００３】  しかし、使用する花火が限られた。
【発明の開示】
【発明が解決しようとする課題】
【０００４】  従来の花火点火では主に打ち上げ花火や爆竹等の花火は導火線点火後素早く離れなくてはならず、火種を扱うには火傷等の危険があった。【０００５】  本発明は花火を離れた場所からの点火により事故を防ぎ、火種で火傷することなくも安全に遊べるものであり、導火線が備わったすべての花火等に容易に取り付け可能な点火装置を提供することを目的としている。
【課題を解決するための手段】
【０００６】  上記目的を達成するために、本発明においては、挟み具基体にニクロム線等の発熱線を挟み具基体先端に設置し、導火線を挟み部で固定、発熱線の側面に接触点火させたものである。【０００７】  また、発熱線の幅に合わした仕切り突起部を取付ける。【０００８】  また、上記の導火線を挟み具基体で固定し発熱線に数回接触させると、発熱線が曲がり点火不良になるのを防ぐために、発熱線下部に発熱線戻し具を備える。
【発明の効果】
【０００９】  リード線４からなる離れた場所からのスイッチ点火により事故を防ぎ、安全に遊べるものである、【００１０】  また、突起部１０、１１、１２、１３を取り付けることにより、暗闇でも導火線を容易に取り付けやすい。【００１１】  さらに、板バネ８と発熱線受け部１７により、接触不良による点火ミスを無くすことができる。
【発明を実施するための最良の形態】
【００１２】  点火装置に花火等の導火線を固定し、安全な場所に設置し、離れた場所からのスイッチ点火といった簡単な作業で火傷や事故を防止する。
【実施例１】
【００１３】  実施例について図面を参照して説明すると、図１〜図４において、挟み具基体１６に、挟み具５と、導火線７の取り付けを容易にする突起部１０、１１、１２、１３を備え、電源とスイッチに繋がったリード線４、と端子部３、バネ９、を備えた挟み具基体１６に、発熱線１を備えた点火ヒータ２を取り付け、端子部１５で押さえ、ネジ１４で固定し、発熱線受け部１７を備えた板バネ８を、基体１６の回転部に取付け、使用する花火等の導火線７を挟み、リード線４に繋がったスイッチにより点火する。
【実施例２】
【００１４】  図５に示される実施例では、導火線７に押された発熱線１を、点火装置基体１６の回転部に取り付けた発熱線受け部１７を備えた板バネ８により、図６に示すように使用する度に板バネ８が可動し、発熱線１が発熱線受け部１７により押し戻されることで何回使用しても点火ミスを防ぐことが可能である。
【図面の簡単な説明】
【００１５】
【図１】  点火装置の断面図である。
【図２】  点火装置に板バネと発熱線受け部を装着してなる状態を示す斜視図である。
【図３】  点火装置の実施例を示す斜視図である。
【図４】  導火線取付け例を示す内部構造を示す図である。
【図５】  実施例による点火装置の腰部側面図である。
【図６】  実施例による点火装置の腰部側面図である。
【符号の説明】
【００１６】  １  発熱線
２  点火ヒータ
３  端子部
４  リード線
５  挟み具
７  導火線
８  板バネ
９  バネ
１０、１１、１２、１３  突起部
１４  ネジ
１６  基体
１７  発熱線受け部
【図１】
2005061813.tif 000003
【図２】
2005061813.tif 000004
【図３】
2005061813.tif 000005
【図４】
2005061813.tif 000006
【図５】
2005061813.tif 000007
【図６】
2005061813.tif 000008
(57)【要約】【課題】石化燃料などのエネルギー源が不要で、環境汚染のおそれがなく、近年汚染がひどくなっている湖などを低コストにて水質浄化する。また、大規模なダムを設置することなく発電をする。【解決手段】選択図のような構造物を作り水を加えていくと、水の量が増えるにつれて送水管にかかる圧力が段々大きくなる。この圧力が一定量を超えると水面より上に水が吹き上がる。噴き上がった水を容器内に戻すことにより送水管にかかる圧力が下がらないようになる。【選択図】図1
2005061288.tif 000002
【特許請求の範囲】
【請求項１】
ポンプ等の動力を一切使わずに水を永久に循環し続ける原理。
【発明の詳細な説明】
【技術分野】
【０００１】
本発明は、永久機関の原理に関するものである。
【背景技術】
【０００２】
水を循環させるにはポンプ等の動力を使って行う。
【発明の開示】
【発明が解決しようとする課題】
【０００３】
何ら動力源を使うことなく水を循環できれば永久に発電を続けることや、水質の劣化を抑えて水を使用したりできる。
【課題を解決するための手段】
【０００４】
本原理の発明により何ら動力源を使うことなく水を循環できるようになる。
【発明の効果】
【０００５】
（１）            湖等の水質浄化装置にも適用できる。
（２）複数の循環装置を組み合わせることによって発電装置にも適用できる。
【発明を実施するための最良の形態】
【０００６】
本発明原理の実施の形態を図面により説明する。図1は本発明原理を示す縦断面図であり、図2は平面図、図3は斜視図である。
【０００７】
十分な量の水を蓄えられる容器があり、その容器の底に大きめの穴をあける。その穴に徐々に直径が小さくなる送水管を取り付ける。送水管は初め下方向に伸び、途中より上へ向くようにし、送水管の先端が容器の上にくる様にする。
【０００８】
この構造で、送水管の直径が徐々に小さくなることにより水を押し出す圧力が徐々に大きくなり、送水管の先が容器の水面より上であっても水を噴き出す事ができる。
【０００９】
これにより水を永久に循環することが可能となる。
【図面の簡単な説明】
【００１０】
【図１】本発明原理を示す縦断面図である。
【図２】本発明原理を示す平面図である。
【図３】本発明原理を示す斜視図である。
【符号の説明】
【００１１】
1．            容器
2．            水面
3．            送水管
【図１】
2005061288.tif 000003
【図２】
2005061288.tif 000004
【図３】
2005061288.tif 000005
(57)【要約】【課題】  都市化においつけぬ下水本管整備のたち後れから、到る所で豪雨時に下水本管に吸収出来ぬ濁流が道路面を覆いつくす光景が見受けられます。気象も異状気象の変化が繰り返される昨今です。地下鉄等を管理されている関係者の方々は道路面の換気口からの濁流の侵入にいつ襲われるか不安です。電力やセンサーだのみの防御では、故障の際には手のほどこしようがありません。電力やセンサーが不要で安全に自動的に開閉される防御装置が求められています。【解決手段】  道路面の換気用グレーチングの下側に常時は開放していて、豪雨の浸水時のみに水平に閉鎖され、豪雨の侵入が去れば開放される自動的で電力も故障や劣化の危険もなく安価な装置として開発したこの装置は、換気口の四方に侵入水受けの槽をめぐらし、その中に開閉扉と連動して侵入水の浮力で上下するフロートを設け、その上部の開閉扉と滑車をつうじて連動させる。安全な一定量を排水する安全バルブからの放水で侵入水が去れば自動的に扉は開放される装置。多数のユニットの連結は可。【選択図】  図３
2005061201.tif 000002
【特許請求の範囲】
【請求項１】
道路に面する地下鉄の換気口等のグレーチングの下に豪雨の際に侵入する濁流をシャットする扉（１）は常時は滑車（３）でつながるフロート（２）の荷重とのバランスで立上げられており、一定量の濁流が流れ込むとフロートが浮上し滑車（３）をつうじてロープ（４）がゆるめられ、スプリング入りの突き押し棒（４）にも押され、自重で水平になる迄、扉（１）は下降し濁流の流れ込みを阻止する。フロート（２）の入った濁流水を受ける四方の水槽（５）に安全な一定量の濁流水を放出するバルブから濁流水を放出しておけば扉（１）は濁流の侵入が止まりしだい自動的に開放する。扉は規模により片開きも可、扉ユニット連結可。
【発明の詳細な説明】
【発明の詳細な説明】
【技術分野】
【０００１】  本発明は建築物、工作物等への浸水を防ぐ為、生活上で求められるものです。
【背景技術】
【０００２】  センサーや電力に頼る為にセンサーや発電機等の故障時には全く用をなさない。センサーの誤作動でシヤッターが閉じても自動的には開放しない。不安である。
【発明が解決しようとする課題】
【０００３】  道路面の地下鉄等の換気口から豪雨時の濁流の進入を自動的に防ぎ、濁流の侵入がやめば、バルブらの安全な一定量の排水により自動的に開放する。停電や、センサーの故障による不安は解消される。
【課題を解決する為の手段】
【０００４】  請求項１で示した構成により、換気口の四方から侵入してくる濁流をフロートが浮上に必要な水量だけ受け入れ、その水量でフロートは浮上して滑車で多少斜めに立ち上がっている扉につながっているロープをゆるめ、扉は自重で下降し水平にセットされて濁流水の侵入を阻止し、濁流が止まれば、フロートも安全バルブからの、放水で下がり、扉は自動的に開放する。
【発明を実施するための最良の形態】
【０００５】  地下鉄等の道路面の換気口のグレーチングの下部に濁流水の侵入の恐れのある四方にフロートの上下をさせる濁流水受け槽をめぐらせ、その中にフロートを入れ、フロートと上部に自重で水平になるよう多少斜めに設置した扉とを滑車をつうじてつなぎ、濁流侵入時にフロートの浮上で扉は水平になり侵入水を防ぐ。安全バルブからの放水で濁流が止まれば、扉は自動的に開放する。電力、センサー不要で。
【発明の効果】
【０００６】  地下鉄等の道路面の換気口からの豪雨時の濁流の侵入が自動的にセンサーも電力もなしで防ぎ、濁流が去れば、自動的に電力もセンサーもなしで扉は開放される。最も安価で安全でセンサーの故障や誤作動の心配もなく、自然のなりゆきにあった対応がなされます。
【図面の簡単な説明】
【図１】  水平扉が開放されている平面図
【図２】  水平扉が閉まっている平面図
【図３】  水平扉が開放されている断面図
【図４】  水平扉が閉まっている断面図
【符号の説明】
１．水平扉
２．フロート
３．滑車
４．ロープ
５．四方のフロート用水槽
６．スプリング入り突き押し棒
７．フロート用ガイド
【図１】
2005061201.tif 000003
【図２】
2005061201.tif 000004
【図３】
2005061201.tif 000005
【図４】
2005061201.tif 000006
(57)【要約】【課題】 地盤の欠点から都市を保護する。本来は使用できない士地の利用が可能になる。【解決手段】 テーブルを造作して地盤との間に緩衝材を介在させ、テーブルの上に都市、施設を設営する。【選択図】図１
2005061213.tif 000002
【特許請求の範囲】
【請求項１】
都市設計工法において、テーブルを地盤の上に造作することを特徴とする地盤強化工法。
【請求項２】
請求項１記載の都市設計工法において、テーブルと地盤の中間に緩衝材を介在させることを特徴とする地盤強化工法。
【発明の詳細な説明】
【技術分野】
【０００１】
地盤強化に関する。
【背景技術】
【０００２】
局所的な強化にとどまっていた。
【発明の開示】
【発明が解決しようとする課題】
【０００３】
地層、地形、地質、人工造成地に問題がある時に安定した地盤にすべきで、本発明はこうした問題を解決することを目的としている。
【課題を解決するための手段】
【０００４】
建築物に付加するものではなく地盤自体を強化するもので、テーブルを造作することを特徴とする。
【発明の効果】
【０００５】
地盤の地層、地形、地質、造成による欠点、地震、地崩れによる危険から都市、街区、施設を保護することができる。
【発明を実施するための最良の形態】
【０００６】
地盤をカバーするテーブルを造作する。テーブルは鉄骨などの構造体で強化する。テーブルは造成地、街区、建築物の規模に制約されない限り、許容される最大範囲のサイズにする。道路、橋、高架道路、地下道、鉄道、上水道、下水道、ガス、電気、通信などのパイプなどの設計の前提としてテーブルが造作されることが望ましく、最小の規模であっても、例えば一戸の住宅用地であってもテーブルを造作して、その上部に庭を含む用地を確立することがよい。テーブルの形状は平面、階段、斜面など地形に適したものにし、テーブルの側壁がある例においては立性を確保することもできる。周囲の建築物、その他の環境との干渉による問題を解消する。テーブルの付加的な施設として建築物の標準基礎、共用トンネル、緑化土壌、人工河川、人工湖水等を設けることもできる。標準基礎は鉄骨によって補強されることが望ましく、鉄骨に対応して基礎が設置され、この標準基礎が選択的に利用されることによってビル、住宅、道路などの各種施設が設計される。テーブルは多重的に設計することもできる。テーブルが単葉であるときは、既存の地盤とテーブルの間に砕石、ゴム、発泡スチロール、砂などの緩衝材を介在させることによって耐震性を得ることもできる。テーブルを複葉にして、横揺れ、縦揺れなどに対応する緩衝材を分離して使用し、分担することによって機能を重点的に強化することが望ましい。また複葉にすることによって、テーブルの破壊が防止できる。雨水などは人工河川によって処理する他、テーブルに排水口を設ける。耐震効果以外に、液状化現象に対してもテーブルによってエリアを保護できる。その他、地形が変動して平衡を欠いても、流動性を有する緩衝材を使用することによって、また緩衝材を低い箇所に補うことによって平準化が容易にできる。あるいは強制的に支持工事をテーブルを対象にすることによってエリアの平準化が可能になる。最下葉のテーブルに対して固定施工をすることによって地崩れなどの地形変動に対応できる。造成地が削り、あるいは埋め足して形成された場合など不均質な場面にも対応する。
【産業上の利用可能性】
【０００７】
テーブルが既存の地盤の関連を断って、用地固有の欠点を解消することによって地層、地形、地質、人工造成地に起因する地震、地崩れ、液状化から都市、街区、造成地、埋立地を改善できる。
【図面の簡単な説明】
【０００８】
【図１】施設の斜視図である。
【符号の説明】
【０００９】
１ テーブル
２ テーブル
３ 緩衝材
４ 緩衝材
５ 地盤
６ 標準基礎
７ 建築物
８ 立木
９ 共用トンネル
１０ 道
【図１】
2005061213.tif 000003
(57)【要約】【課題】エンジンの全高を抑制しながらも、ブローバイガス中に含まれるオイル成分を的確に分離回収してオイル消費量を低減する。【解決手段】フライホイールとサプライポンプをギヤトレインを介して結合したエンジンにおいて、フライホイールハウジング２とサプライポンプ３の間に介装したサプライポンプギヤケース４の上方にミストセパレータ５を配設する。サプライポンプギヤケース４におけるサプライポンプ３側の底部から上方に向って延びる空洞６を設ける。空洞６の頂部とミストセパレータ５をブリーザ通路７を介して接続することにより、サプライポンプギヤケース４から空洞６に導入されてオイル飛沫が分離除去されたブリーザガス中のオイルミストをミストセパレータ５にで分離回収するようにした。【選択図】        図１
2005061250.tif 000002
【特許請求の範囲】
【請求項１】
フライホイールとサプライポンプをギヤトレインを介して結合したエンジンにおいて、フライホイールハウジング２とサプライポンプ３の間に介装したサプライポンプギヤケース４の上方にミストセパレータ５を配設する一方、前記サプライポンプギヤケース４におけるサプライポンプ３側の底部から上方に向って延びる空洞６を設け、該空洞６の頂部とミストセパレータ５をブリーザ通路７を介して接続することにより、サプライポンプギヤケース４から空洞６に導入されてオイル飛沫が分離除去されたブリーザガスを、ミストセパレータ５に供給してオイルミストを分離するようにしたことを特徴とするエンジンのブリーザ装置。
【発明の詳細な説明】
【０００１】
【発明の属する技術分野】
本発明はエンジンのブリーザ装置に係り、特に、エンジンの全高を抑制しながらも、ブローバイガス中に含まれるオイル成分を的確に分離回収してオイル消費量を低減することができるブリーザ装置に関するものである。
【０００２】
【従来の技術】
エンジンのブローバイガス中に含まれるオイル飛沫およびオイルミストを分離回収してオイルの消費量を低減するために、従来ではエンジンのシリンダヘッドカバー内にオイル分離機構を設け、オイル分離機構でオイル成分が分離されたブローバイガスのみをシリンダヘッドかバー内から取り出すようにしたものがある（例えば特許文献等を参照）。
【０００３】
しかしながら、このようにシリンダヘッドかバー内にオイル分離機構を設けた場合は、オイル分離機構を収容するためのスペースをシリンダヘッドカバー内に確保する必要性が生じるためにエンジンの全高が大きくなって車載性が悪化することがある。
【０００４】
【特許文献】
特開平１０−２６０１２号公報
【０００５】
【発明が解決しようとする課題】
本発明は上記実情に鑑みてなされたものであって、エンジンの全高を抑制しながらも、ブローバイガス中に含まれるオイル成分を的確に分離回収してオイル消費量を低減することができるブリーザ装置を提供することを課題としている。
【０００６】
【課題を解決するための手段】
上記課題を解決するために本発明は、フライホイールとサプライポンプをギヤトレインを介して結合したエンジンにおいて、フライホイールハウジングとサプライポンプの間に介装したサプライポンプギヤケースの上方にミストセパレータを配設する一方、前記サプライポンプギヤケースにおけるサプライポンプ側の底部から上方に向って延びる空洞を設ける。また、前記空洞の頂部とミストセパレータをブリーザ通路を介して接続することにより、サプライポンプギヤケースから空洞に導入されてオイル飛沫が分離除去されたブリーザガスを、ミストセパレータに供給してオイルミストを分離するようにしたことを特徴としている。
【０００７】
【発明の実施の形態】
以下に本発明の実施形態を図に基づいて詳細に説明する。図１は本発明に係るブリーザ装置を備えたエンジンの一実施形態を示す概略斜視図、図２は図１に示した空洞の概略断面図である。
【０００８】
これらの図において、エンジン１の後部にフライホイールハウジング２を設けるとともに、エンジン１の側部にサプライポンプ３を配している。また、フライホイールハウジング２の側部前面とサプライポンプ３の間には、図示しないフライホイールとサプライポンプ駆動軸を連結するギヤトレイン（いずれも図示省略）を収容するサプライポンプギヤケース４を設けている。
【０００９】
一方、前記サプライポンプギヤケース４の上方にミストセパレータ５を配設するとともに、前記サプライポンプギヤケース４におけるサプライポンプ３側の底部から上方に向って延びる空洞６を設けている。
【００１０】
また、前記空洞６の頂部とミストセパレータ５をブリーザ通路７を介して接続することにより、図２に実線で示す矢印のようにサプライポンプギヤケース４の底部から空洞６の下端に導入したブローバイガス中に含まれるオイル飛沫を、空洞６内において分離除去するようにしている。なお、空洞６で分離除去されたオイル飛沫は、図２に破線で示す矢印のように空洞６の底部から自重でサプライポンプギヤケース４の底部に流下し、サプライポンプギヤケース４の底部からフライホイールハウジング２に戻されてエンジン１のオイルパンに戻される。
【００１１】
また、空洞６を上昇する過程においてオイル飛沫が分離除去されたブローバイガスは、ブリーザ通路７を通ってミストセパレータ５に供給され、ブローバイガス中に含まれるオイルミストが分離回収された後に、エンジン１の吸気系に戻される。なお、ミストセパレータ５で分離されたオイルミストは、図示しないリターン通路を通ってエンジン１のオイルパンに戻される。
【００１２】
上記のような空洞６によるオイル飛沫の分離回収効果を高くするために、本実施形態にあっては、空洞６内を上昇するブローバイガスの流れに対して、方向変換と絞りおよび膨張を繰り返し与えるバッフルプレート６ａを設けて空洞６の内部を迷路状に隔成しているが、予測されるオイル飛沫の粒径（比重）によってはバッフルプレート６ａの数を減少もしくは省略して単位区画あたりの空洞容積を大きくすることも有効であり、ブローバイガス中のオイルミストを分離回収するものであればミストセパレータ５の構成は任意である。
【００１３】
【発明の効果】
以上の説明から明らかなように本発明は、エンジンの後部に設けたフライホイールハウジングとサプライポンプの駆動軸を連結するサプライポンプギヤケースのサプライポンプ側の底部から取り出されて空洞を上昇する過程でオイル飛沫が分離回収されたブローバイガスをミストセパレータに供給してブローバイガス中のオイルミストを分離回収するようにしたものであるから、シリンダヘッドカバー内にオイル分離機構を設ける必要性がなく、エンジンの全高を抑制しながらも、ブローバイガス中に含まれるオイル成分を的確に分離回収してオイル消費量を低減することができる。
【図面の簡単な説明】
【図１】本発明に係るブリーザ装置を備えたエンジンの一実施形態を示す概略斜視図である。
【図２】図１に示した空洞の概略断面図である。
【符号の説明】
１    エンジン
２    フライホイールハウジング
３    サプライポンプ
４    サプライポンプギヤケース
５    ミストセパレータ
６    空洞
６ａ    バッフルプレート
７    ブリーザ通路
【図１】
2005061250.tif 000003
【図２】
2005061250.tif 000004
(57)【要約】  【課題】  従来例と較べ換気効率の良い建物用換気口を提供する。  【解決手段】  壁面に設けた開口部を閉塞する通気板３と該通気板３を被装するフード体１を備え、しかも、フード体１と前記通気板３との間に下端開口の仲介室４を設ける。そして、フード体１の、前記通気板３と相対する位置に、適宜数の細孔５，…を設けて屋内側の空気を排出するようにする。【選択図】    図２
2005061668.tif 000002
【特許請求の範囲】
【請求項１】
壁面に設けた開口部を閉塞する通気板と該通気板を被装するフード体を備え、しかも、フード体と前記通気板との間に下端開口の仲介室を設けた建物用換気口において、前記フード体の、前記通気板と相対する位置に適宜数の細孔を設けて屋内側の空気を排出するようにした、建物用換気口。
【発明の詳細な説明】
【技術分野】
【０００１】
本発明は建物用換気口に関するものである。
【背景技術】
【０００２】
壁面に設けた開口部を閉塞する通気板と該通気板を被装するフード体で成り、フード体と前記通気板との間に下端開口の仲介室を設けた構造のものがある（例えば、特許文献１）。
【０００３】
【特許文献１】実用新案登録第３０５７７３４号公報
【発明の開示】
【発明が解決しようとする課題】
【０００４】
前記従来構造のものは、通気板（通常ガラリを設け、ときには防虫用の網を張設してある）を通じての雨水の屋内の吹き込みを防ぐため、該通気板の前面、屋外側面の全域をフード体で被装しているため、通気板を通じての換気は、いわば間接的に行われるため、その分換気能力が低下する傾向にある。
【０００５】
本発明は、雨水の通気板を通じての吹き込みを防ぐ一方で、従来例と較べ換気効率の良い建物用換気口を抵抗すべく創案したものである。
【課題を解決するための手段】
【０００６】
壁面に設けた開口部を閉塞する通気板と該通気板を被装するフード体を備え、しかも、フード体と前記通気板との間に下端開口の仲介室を設けた建物用換気口において、前記フード体の、前記通気板と相対する位置に適宜数の細孔を設けて屋内側の空気を排出するようにした、構成としたものである。なお、細孔を横方向の下縁を内側に起こして形成して構成することにより、雨水（沫き）の細孔を通じて吹き込みが尚一層生じにくく、実用的である。
【発明の効果】
【０００７】
本発明によれば、通気板をフード体で被装するものであるから雨水の通気板を通じての吹き込みを可及的に防ぐと同時に、通気板に面した位置に設けた細孔により屋内側からの空気は直接的に屋外へ流すことができ、従って、換気効率を向上させた換気口を提供することができる。
【実施例】
【０００８】
図面は本発明に係る建物用換気口の一実施例を示し、図１は正面図、図２縦断面図、図３は一部拡大断面図である。
【０００９】
実施例の建物用換気口Ａは、フード体１と取付筒２を互いに組付け、これらの間に通気板３を介在させて構成したもので、建屋壁面に開口部に前記取付筒２を嵌挿して通気板３によって開口部を閉塞して用いるようにしたものである。
【００１０】
この換気口Ａを構成するフード体１は、水気密材を介して建屋壁面に止着する鍔部片１ａを備えた正面視逆Ｕ字形の曲面体で成り、前記通気板３の屋外側に設けた下端開口の仲介室４を構成するもので、前記通気板３と相対する位置には適宜数の細孔５，…を設けて、通気板３を通じての屋内側の空気が直接に屋外へ排出するようにしてある。
【００１１】
細孔５は、図３で示すように、フード体１の素材である金属板に横方向の切目を入れ、該切目の下縁に起こして形成したもの（細孔５は要する切り起こし形成してある）で、このように構成することにより雨水の細孔５，…を通じての侵入を尚一層可及的に防ぐことができる。
【００１２】
なお、通気板３はガラリを備え、必要に応じて防虫網を備えたものである。
【００１３】
また、細孔（通気孔）５の径の大きさによって沫きの吹込みがある場合は、屋内側から換気扇を稼動させることにより確実に防ぐことができるが、概し、ガラリ装置の存在により沫きの侵入は防止できる。
【図面の簡単な説明】
【００１４】
【図１】正面図。
【図２】縦断面図
【図３】一部拡大断面図。
【符号の説明】
【００１５】
１      フード体
３      通気板
４      仲介室
５      細孔
【図１】
2005061668.tif 000003
【図２】
2005061668.tif 000004
【図３】
2005061668.tif 000005
(57)【要約】      （修正有）【課題】木造住宅等の軽量建物の地震による水平方向の揺れ軽減する。【解決手段】本体1を基礎にアンカーボルトで固定して、スベリ台2を設置する。スベリ台2に組み込まれた大鋼球3を四個の小鋼球4で支持し、力を分散して、大鋼球の回転をスムーズに行う。また本体１に設けた凹部とスベリ台2に設けた凸部が地震の揺れが免震装置の範囲を超えた場合は両者が噛み合い、建物の横転を防ぐ。【選択図】図１
2005061607.tif 000002
【特許請求の範囲】
【請求項１】
本体の底部にお椀型の曲面を持ち、横転防止用凹部を設けた、免震装置
【請求項２】
本体に組み込まれる、スベリ台を設けてなおかつ横転防止用凸部を設けた、免震装置
【請求項３】
スベリ台に組み込まれた、大鋼球とそれを支持する、小鋼球を設けた、免震装置
【発明の詳細な説明】
【技術分野】
【０００１】本発明は、木造住宅建物の地震時の揺れを軽減する、免震装置である。
【背景技術】
【０００２】近年地震が多発して、多大な被害をもたらしている。一般住宅は基礎と土台がアンカーボールトで固定されているので、地震の揺れを吸収出来ず、住宅の損傷や倒壊又家具類の転倒を招き人命にも及ぶ危険性を孕んでいる。
近年は地震対策の方法が種々の工法で行われている。一般には、木材継ぎ手部分の金物による補強又筋交いによる補強等である。この為に建物は剛構造になるために、地震の揺れは吸収出来ない、よって種々の免震装置が提案されている。【０００３】例えば、特開２００２−１８８３１９号公報に記載されている免震装置は、鋼球、スプリング、緩衝ゴムによって構成されている。地震の横揺れ時は、鋼球が滑り、スプリングが倒れ、スプリングで反復する構造であるが、建物全体を反復するためにわ、大口径、大断面のスプリングが必要である。又緩衝ゴムで地震の縦揺れを吸収する構造であるが、住宅の各柱にかかる、垂直加重は不均等であるために、床の水平が保たれない。また、特開２００２−１８０６９６号公報に記載されている免震装置は、地震の横揺れの際、ストッパーが無いために建物が基礎より離脱する事が考えられる
また、特開２０００−３８８５７号公報に記載されている免震装置は、上下の鉄板に挟まれた鋼球の移動が加重位置からずれて、土台に遍芯加重かかり、建物の歪みを生じる事が考えられる。【０００４】本発明は、免震装置の構造の簡素化である。
【発明の開示】
【発明が解決しようとする課題】
【０００５】これは次のような欠点があった。
（イ）従来の免震装置は構造が複雑になり、工事費用が掛かる。
（ロ）施工には、専門的な技術が要求される。
本発明は、これらの欠点を除くためになされたものである。
【課題を解決するための手段】
【０００６】本発明は、本体（１）を基礎にアンカーボールトで固定して、スベリ台（２）を設置する、その上に土台を取り付ける、スベリ台（２）に組み込まれた大鋼球（３）を四個の小鋼球（４）で支持し、力を分散して、大鋼球（３）の回転スムーズ行う。また本体（１）に設けた凹部とスベリ台（２）に設けた凸部が地震の揺れが免震装置の範囲を超えた場合は両者が咬み合い建物の横転防ぐ。また、大鋼球の中心に柱の中心が有るので加重の遍芯が生じない。
【発明の効果】
【０００７】本体（１）の内部に設けた曲面（９）の上に、スベリ台（２）に組み込まれた大鋼球（３）が移動して地震の揺れを吸収する、地震がおさまった際は曲面（９）があるので、元の位置に戻る。
【発明を実施するための最良の形態】
【０００８】以下、本発明の実施の形態について説明する。
本体（１）を基礎（７）にアンカーボールトで固定して、スベリ台（２）を乗せて、土台（８）を取り付ける、スベリ台（２）に組み込まれた鋼球（３）を支える小鋼球（４）で回転を滑らかにして、力の分散をはかる、小規模の地震の時は曲面（９）の小さい範囲で大鋼球（３）が移動するが
曲面（９）を越える地震の場合は、
【図２】
のように本体（１）に設けた凹部とスベリ台（２）に設けた凸部が咬み合い建物の横転を防ぐ、地震がおさまった際は本体（１）の内部が曲面（９）になっているので、
【図１】
のように中央に戻る、
曲面（９）であるので、如何なる方向の地震にも対応出来る。
【図面の簡単な説明】
【０００９】
【図１】本発明のＡ−Ｂ断面図である。
【図２】本発明のＡ−Ｃ断面図である。
【図３】本発明の本体（１）の平面図である。
【図４】本発明のスベリ台（２）の平面図である。
【符号の説明】
【００１０】  １：本体
２：スベリ台
３：大鋼球
４：小鋼球
５：横転防止凸部
６：横転防止凹部
７：基礎
８：土台
９：曲面
１０：アンカーボールト取付穴
【図１】
2005061607.tif 000003
【図２】
2005061607.tif 000004
【図３】
2005061607.tif 000005
【図４】
2005061607.tif 000006
(57)【要約】      （修正有）【課題】ボルトおよびナットのネジ山は軸方向の垂線に対して上下対称形である。ねじ山の角度が軸方向の垂線に対して同じ角度であるため軸方向の力に対する方向性がない。【解決手段】ボルトおよびナットのねじ山の角度を変え非対称の形状にすることにより外から受ける力に方向性を持たせ，緩み難いボルト，ナットとする。【選択図】図２
2005061602.tif 000002
【特許請求の範囲】
【請求項１】
ボルトおよびナットのネジ山の角度を変え，外から受ける力に対し方向性を持たせ，緩み難いボルト，ナットとするため軸方向の垂線に対して非対称の形状にしたボルトおよびナット。
【発明の詳細な説明】
【発明の詳細な説明】
【技術分野】
【０００１】  本発明は、ボルトおよびナットが振動または伸縮の運動による力が加わる事による緩みの現象が生じることを抑制する形状に関する。
【背景技術】
【０００２】  従来のボルトおよびナットによる固定はナットの二重固定，緩み防止ワッシャー，イーリング，緩み防止リング付きナットおよび緩み防止抑制剤の塗布等が使用実用されている。
【発明が解決しようとする課題】
【０００３】  従来の技術ではネジ山自体の形状が上下対称であるため，外からの力に対し力の方向性が生じない。そのため，振動や伸縮等の外からの力によりボルトおよびナットによる固定に緩みの現象が生じる。その現象を抑制するためナットの二重固定，緩み防止ワッシャー，イーリング，緩み防止リング付きナットおよび緩み防止抑制剤の塗布等が使用されている。
【課題を解決するための手段】
【０００４】  本発明はネジ山自体の形状を上下対称から上下非対称に変えることにより、振動や伸縮等外からの力に対し指向性を持たせることにより緩みを抑制する。
【発明を実施するための最良の形態】
【０００５】  発明の実施の形態を実施例にもとづき図面を参照して説明する。
図１は従来から使用されているボルトおよびナットの形状であり，１ネジ山は軸方向の垂線に対し同角度で上下対称の形状をしている。【０００６】  本発明は図２および図３の形状とし，２ネジ山，３ネジ山，４ネジ山および５ネジ山のように軸方向の垂線に対する角度に差をもたせ上下非対称の形状とし，振動や伸縮等外からの力に対し指向性を持たせることにより緩みを抑制する。
【発明の効果】
【０００７】  本発明は物体を接続固定する場合は２ネジ山および３ネジ山とし，絞め付ける力の方向に対し抗力を大きくする。また，一定の間隔で保持固定する場合は４ネジ山および５ネジとし，一定の間隔を圧縮する力の方向に対し抗力を大きくしすることにより緩みを抑制する。
【図面の簡単な説明】
【図面１】
従来の軸方向の垂線に対し同角度で上下対称の形状をしているボルトおよびナットの断面図。
【図面２】
本発明の軸方向の垂線に対し角度が異なり，上下非対称の形状をしているボルトおよびナットの断面図。
【図面３】
本発明の軸方向の垂線に対し角度が異なり，上下非対称の形状をしているボルトおよびナットの断面図。
【符号の説明】
１上下対称のネジ山
２上下非対称のネジ山
３上下非対称のネジ山
４上下非対称のネジ山
５上下非対称のネジ山
【図１】
2005061602.tif 000003
【図２】
2005061602.tif 000004
【図３】
2005061602.tif 000005
(57)【要約】【課題】  電気工事の際、木部に電線等を保持する為に、作業性がよく、従来のようにハンマーによる打ち過ぎで、絶縁低下の心配がいらないステップルを提供すること。【解決手段】  ステップル本体は絶縁性と耐久性に優れた合成樹脂製とし、電線を差し込む溝と、専用の釘を刺す穴がある。電線用の溝は、電線より少し狭く、電線が抜けにくくなっている。釘は、合成樹脂製ステップル本体が回転しないために、断面が角張っている。また、木部に打ち付けるまで、釘の先端がステップルの下部から出ない程度にステップルに刺してある。これは、釘の先端が手袋に引っかかったり、指先に刺さることを防ぐためである。  本ステップルの施工方法は、先に合成樹脂製ステップルを木部に打ち付けてから、電線をステップルに差し込むので、ハンマーによる電線への打ち込みすぎを防止でき、安全で楽に作業を行える。【選択図】  図１
2005061604.tif 000002
【特許請求の範囲】
【請求項１】
電線はステップル本体の溝に差し込んで保持する。
【請求項２】
ステップルに使用する釘は１本で断面が角張っている。
【請求項３】
本ステップルは、最初に木部に打ち込んだ後、電線をステップルに差し込む方式である。
【発明の詳細な説明】
【発明の詳細な説明】
【０００１】  本発明は電気工事の際、木部に電線を保持するためのステップルである。本ステップルは本体が絶縁性と耐久性に優れた合成樹脂で出来ており、電線を差し込む溝と、釘の刺さる穴が一つある。釘は回り止めのために断面が角張っている。この釘でステップル本体を木部に打ち付けて、電線をステップルの溝に差し込み、保持する。
【技術分野】
【０００２】  本発明は電気工事において、木部に電線等を保持するために、安全で作業性を向上させる機能を有したステップルである。
【背景技術】
【０００３】  従来のステップルはまず、電線を木部に押さえて、そこにコの字形の釘を打ち付ける方法だった。釘と電線が接触する部分には、合成樹脂やビニールなどで絶縁処理がされていた。
【発明が解決しようとする課題】
【０００４】  コの字形のステップルは打ち付ける際、電線を片手で押さえ、なおかつ、ステップルを木部に仮止めして固定するか、指でつまんだところをハンマーで打ち付けなければならず、両手を使って作業するため、脚立を使っての高所作業では危険で、使いずらかった。また、電線の上からコの字形のステップルを打ち付けるため、打ちすぎて電線の絶縁を悪くする心配があった。そのため、従来のステップルを打ち付けるときは、打ちすぎに注意する必要があった。
【課題を解決するための手段】
【０００５】  従来のように電線を片手で押さえながらステップルを打ち込むのではなく、最初にステップルを木部に打ち込んで固定したところに、電線を合成樹脂製ステップル本体に差し込む。この方法により、従来のような作業性の悪さや、ステップルの打ちすぎによる絶縁の問題を解決できる。
【発明を実施するための最良の形態】
【０００６】  図１，２より、ＶＶＦケーブル用の合成樹脂製ステップルについて説明する。合成樹脂製ステップル本体１はＶＶＦケーブル３を差し込む溝がある。この溝はＶＶＦケーブル３をきつく挟むために凸部が上下に２列ずつあり、ＶＶＦケーブル３が抜けないようになっている。【０００７】  合成樹脂製ステップル本体１の釘２が刺さる穴は、釘２の外径より小さい。これは釘２が抜け落ちず、刺さった状態で提供、施工するためである。また、釘２が合成樹脂製ステップル本体１に刺さる部分は上下で２ミリずつ突出している。上の部分は釘２をハンマーで打つ際、合成樹脂製ステップル本体１の他の部分を打たないようにする為であり、下の部分は木部４に食い込み、合成樹脂製ステップル本体１が回転しないようになっている。【０００８】  釘２は断面を四角形など、角張った形状にすれば、木部４に打ち込んだ後、合成樹脂製ステップル本体１に差し込んだＶＶＦケーブル３を引っ張っても、合成樹脂製ステップル本体１が釘２を中心にして回転しないため、釘２は１本だけでよい。【０００９】  ＶＶＦケーブルは２芯と３芯（または４芯）の厚みが同じなので、１つの合成樹脂製ステップルで２芯と３芯（または４芯）のＶＶＦケーブルに使えて便利である。【００１０】  テレビ用同軸ケーブルや、電話線、ＬＡＮケーブル、ＩＶケーブル、光ファイバーケーブルなど断面が丸い電線は図４のような形状の合成樹脂製ステップル５で保持することができる。この合成樹脂製ステップル５は丸い断面の電線の直径よりも少し小さい径の溝に図４の上方から電線を差し込む。使用する釘は釘２と同じである。
【実施例】
【００１１】  ステップル本体は、硬質塩化ビニール、エンジニアリングプラスチック、ＡＢＳ樹脂等、絶縁性で割れにくく、耐候性、耐久性に優れた材料を使用する。【００１２】  釘は鉄製で断面が三角形又は四角形で、木部に刺さるように先端を尖らせ、電線を引っ張ってもステップル本体が回転せず、釘から抜けないように釘の頭は三角形又は四角形で断面を大きくしてある。【００１３】  本ステップルは各電線ごとに、電線の入る溝の寸法が専用になる。ステップルから電線が抜けないように、溝には凸部が数列あり、この凸部が電線に食い込んで、引っ張っても抜けにくくしている。
【発明の効果】
【００１４】  従来のステップルは連結されず、バラバラで箱に入っていたものが多く、釘の先端もむき出しだったため、取り出しにくく、釘の先端を指に刺してしまうことがあった。本ステップルは釘の先端は打ち込まれるまで、図３のようにステップル本体の下部に収められており、ハンマーで打ち込まれるまで外にでない。また、ステップル本体の側面は平らなので、少量の接着剤などで連結して出荷する事も可能である。
【００１５】  本ステップルは施工時に、はじめに何個か木部に合成樹脂製ステップルを打ち込んでおけば、後は電線を引っ張りながら差し込むだけなので、従来のようにステップルで電線を打ち込み過ぎる心配がなく、脚立の上でも安全に作業ができる。
【図面の簡単な説明】
【図１】  ＶＶＦケーブル用合成樹脂製ステップルの斜視図である。
【図２】  ＶＶＦケーブル用合成樹脂製ステップルの断面図である。
【図３】  断面が丸い電線用の合成樹脂製ステップルの側面図である。
【符号の説明】
１  ＶＶＦケーブル用合成樹脂製ステップル本体
２  釘
３  ＶＶＦケーブル
４  木部
５  断面が丸い電線用の合成樹脂製ステップル本体
【図１】
2005061604.tif 000003
【図２】
2005061604.tif 000004
【図３】
2005061604.tif 000005
(57)【要約】【課題】  蛇口の何処をひねっても常に安全な水が供給できる水質浄化水道管。【解決手段】  上水道管（１）の内側モルタル層（２）にマイナスイオン効果及び４〜１４ミクロンの遠赤外線放射物質の効果の有るトルマリン鉱石、花崗岩、滑石等の窯土類の粉石、粉末、炭粉粒を混合し、その内側に同様の樹脂被膜層（３）の特殊コーテイングを施し、又樹脂製の上水道管に、マイナスイオン及び遠赤効果の更に強いトルマリン鉱石等の微粉末体を混合し成形したことを特徴とする。【選択図】  図１
2005061605.tif 000002
【特許請求の範囲】
【請求項１】
上水道管（１）の内側のモルタル層（２）及び樹脂被膜層（３）に、マイナスイオン及び４〜１４ミクロンの遠赤外線放射物質のトルマリン鉱石、花崗岩、滑石等の窯土類の岩石の粉石、粉末、及び炭粒粉を混合成形した水質浄化水道管。
【請求項２】
樹脂製の上水道管（４）に、マイナスイオン及び４〜１４ミクロンの遠赤外線放射物質のトルマリン鉱石、花崗岩、滑石等の窯土類の岩石の微粉末体を混合成形した水質浄化樹脂管。
【発明の詳細な説明】
【発明の詳細な説明】
【技術分野】
【０００１】  この発明は、上水道管の内側モルタル層及び樹脂被膜層にマイナスイオン及び４〜１４ミクロンの遠赤外線放射物質のトルマリン鉱石を筆頭とする、鉱石、花崗岩、滑石等の窯土類の岩石の粉石、粉末、及び炭粒粉を混合成形した、上水道浄化水道鋳管及び樹脂管である。
【背景技術】
【０００２】  従来、水質浄化の装置の技術が知られている（例えば、特許文献１参照）【０００３】
【特許文献１】    特開２００２−２８２８６４号公報
【発明が解決しようとする課題】
【０００４】  これは次のような欠点があった。
従来、各家庭に施設されている水道管は、普通の水道管で、何等、水質浄化のための工夫は為されておらず、最近悪化の一途をたどる水質汚染に対し、行政サイドも塩素の量を増やしたり、消毒殺菌に重点を置いた対策の為、残留塩素の問題、即ち塩素から発ガン性物質トリハロメタンが生成される等の大きな社会問題に発展し、人々は自己防衛上、いろいろの浄水器や浄水装置を取り付けたり、スーパー等で安全な水を購入したり等、その対策に日夜神経をとがらせているのが現状である。
本発明は、これらの欠点を除くためになされたものである。
【課題を解決するための手段】
【０００５】  上水道管（１）の内側のモルタル層（２）及び樹脂被膜層（３）にマイナスイオン及び４〜１４ミクロンの遠赤外線放射物質のトルマリン鉱石、花崗岩、滑石等の窯土類の岩石の粉石、粉末及び炭粒粉を混合成形し、樹脂管（４）にはマイナスイオン効果の更に強力なトルマリン鉱石等の微粉末体を混合成形した水質浄化樹脂管を適用する。
【発明を実施するための最良の形態】
【０００６】  以下、本発明の実施の形態について説明する。
上水道管（１）の内側のモルタル層（２）及び樹脂被膜層（３）にマイナスイオン効果及び４〜１４ミクロンの遠赤外線放射物質のトルマリン鉱石、花崗岩、滑石等の窯土類の岩石の粉石、粉末、及び炭粒粉を混ぜ合わせた管を成形する。又上水道樹脂管には、トルマリン鉱石等の微粉末体を混ぜ合わせた管を成形する。
本発明は、以上のような構造で、上水道管の内側に施されたモルタル層、樹脂被膜層をマイナスイオン及び遠赤放射効果の有る上水道水質浄化水道管に転化し、又上水道樹脂管には、マイナスイオン及び遠赤効果が更に強力に作用するトルマリン鉱石等の微粉末を混合成形した水質浄化樹脂管である。
これを使用する時は、水道本管、支管、各家庭引き込み用細管を問わず、水道施設事業者が従来通りの施行方法で本発明水道管を施行するだけで良い。
【発明の効果】
【０００７】  本考案は、各家庭で安全な健康増進に役立つ水を、どの場所の蛇口をひねっても、いつでもどこでも供給できるように、水道管そのものを遠赤効果の特に強いトルマリン鉱石や炭等を利用して、マイナスイオン放出効果を強力に引き出し、水を瞬時に浄化する効果の有る水道管である。特に本考案の最重要構成であるトルマリン鉱石は別名電気石とも呼ばれ、永久的にマイナスイオンや静電気を放出し続ける特性があり、このマイナスイオンが健康増進維持のために非常に役立つことは、今日は衆知の事実となっておる。そしてこの鉱石は特に、水の存在する所や、水圧のかかる所で特にその特性が顕著に働く点を考慮し、
本考案に最適の水質浄化方法が誕生した。即ちこのトルマリン鉱石は、水に接触すると瞬時に電気分解を起こし、大量の静電気であるマイナスイオンを放出し、更に４〜１４ミクロンの遠赤放射効果に依り水の分子を細分化し、人間の血液（体液）にとって健康上ベストとされるＰＨ７．５弱のアルカリ水を精製し、塩素を吸着分解するので、この方法で処理された水道水は健康に寄与し、塩素量もこれ以上増やさないですむ行政サイドの対策上限界に近い塩素殺菌の弊害もなくなり、行政サイド一挙両得の非常に簡単に水を浄化できる考案である。更に本考案の水道管を通過した水は、飲料水は無論の事、日常の生活用水全般に付いても自然にやさしい無害な水を給排水できる２１世紀の自然環境に多大の貢献をもたらす画期的考案である。
【図面の簡単な説明】
【図１】  本発明の上水道管の断面図の一部を切り欠いた図面である。
【図２】  本発明の樹脂管の断面図の一部を切り欠いた図面である。
【符号の説明】
１  水道管
２  モルタル層
３  樹脂被膜層
４  樹脂管
【図１】
2005061605.tif 000003
【図２】
2005061605.tif 000004
(57)【要約】【課題】  配管内の蒸気が温度低下を来たすことがないと共に、温度上昇も来たすことのない蒸気配管装置を提供する。【解決手段】  左側配管１と右側配管２をフランジ継手６，７で接続する。それぞれの配管１，２の内管３と外管４の間に空間９，１０を気密に構成する。空間９，１０を連通管１１で連通する。空間１０の下方に蒸気エゼクタ５を配置する。蒸気エゼクタ５の吸引部１５と空間１０を接続管１３で接続する。吸引部１５を蒸気入口管１７で内管３内と接続する。  蒸気エゼクタ５により空間９，１０が所定の真空状態に維持されることによって、内管３の内部８を流下する蒸気から熱が奪われることも、あるいは、蒸気が吸熱することも防止することができる。【選択図】      図１
2005061514.tif 000002
【特許請求の範囲】
【請求項１】
長尺状の内管と外管の二重管で構成され、内管の内部を蒸気が流下するものにおいて、内管の外周と外管の内周で形成される空間を気密に構成して、当該空間の圧力を大気圧以下の真空状態に維持する蒸気エゼクタを設けたことを特徴とする蒸気配管装置。
【発明の詳細な説明】
【技術分野】
【０００１】
本発明は、長尺状の内管の内部を流下する蒸気が保有する熱を奪われて温度低下を来たすことがなく、あるいは、蒸気が外気から吸熱して温度上昇を来たすことがない蒸気配管装置に関する。
【背景技術】
【０００２】
蒸気配管装置は、配管内を流下する蒸気の温度が変化しないように、一般的に配管を断熱するものである。
【０００３】
この蒸気配管装置においては、蒸気が熱を奪われて温度低下を来たすことはないが、内管を流下する蒸気の温度が比較的低い場合は反対に、蒸気が吸熱して温度上昇してしまう問題点があった。
【特許文献１】特開平４−３１６７９９号公報
【発明の開示】
【発明が解決しようとする課題】
【０００４】
解決しようとする問題点は、流下する蒸気が温度低下を来たすことがないと共に、温度上昇も来たすことのない蒸気配管装置を提供することである。
【課題を解決するための手段】
【０００５】
本発明は、長尺状の内管と外管の二重管で構成され、内管の内部を蒸気が流下するものにおいて、内管の外周と外管の内周で形成される空間を気密に構成して、当該空間の圧力を大気圧以下の真空状態に維持する蒸気エゼクタを設けたことを特徴とする。
【発明の効果】
【０００６】
本発明の蒸気配管装置は、内管と外管の間の空間を気密に構成して、この空間と蒸気エゼクタを接続したことによって、蒸気エゼクタの吸引力でもって空間内の圧力を大気圧以下の真空状態として熱伝達を極めて少なくすることができ、内管を流下する蒸気が熱を奪われることも、また、吸熱することも防止することができるという利点がある。
【発明を実施するための最良の形態】
【０００７】
本発明は、内管と外管の間の空間を蒸気エゼクタで真空状態に維持するものであり、蒸気エゼクタは蒸気を駆動流体として、空間内の残留空気を吸引して真空状態に維持するものを用いることができる。
【実施例１】
【０００８】
図１は、本発明の１実施例の構成図であって、左側配管１と右側配管２、配管１，２のそれぞれの内管３と外管４、及び、蒸気エゼクタ５とで蒸気配管装置を構成する。
【０００９】
左側配管１と右側配管２は、それぞれの配管の端部に接続したフランジ継手６，７で接合する。内管３の内部８を図示しない蒸気がフランジ継手６，７を通って流下するものである。
【００１０】
内管３の外周と外管４の内周の間に空間９，１０を気密に構成する。左側配管１の空間９と右側配管２の空間１０とを連通管１１で連通する。連通管１１には管路を開閉するためのバルブ１２を介在させる。
【００１１】
空間１０の下方に蒸気エゼクタ５を配置してバルブ１４を介在した接続管１３で接続する。接続管１３は一端を空間１０と連通し、他端を蒸気エゼクタ５の吸引部１５と連通する。吸引部１５には蒸気入口管１７を接続する。蒸気入口管１７の上端を左側配管１の内管３内に開口して、内管３を流下する高圧蒸気の一部を吸引部１５内の図示しないノズル部へ流入させることにより、吸引力を発生して空間９及び１０内を所定の真空状態に維持するものである。吸引部１５とディフューザ１６を通過した蒸気は排出管１８から系外へ排出される。
【００１２】
蒸気エゼクタ５を駆動することによって、空間９，１０は大気圧以下の所定の真空状態となって、内管３からの伝熱、あるいは、内管３への伝熱を極めて少ないものとすることができる。従って、内管３の内部８を流下する蒸気が熱を奪われることも、また、吸熱することも防止することができる。
【産業上の利用可能性】
【００１３】
内管３の内部８の蒸気から外部への伝熱、あるいは、外部から蒸気への伝熱を防止することができ、配管内の蒸気の温度を所定の一定値に維持することができる。
【図面の簡単な説明】
【００１４】
【図１】本発明の蒸気配管装置の実施例を示す構成図。
【符号の説明】
【００１５】
１  左側配管
２  右側配管
３  内管
４  外管
５  蒸気エゼクタ
６，７  フランジ継手
９，１０  空間
１１  連通管
１３  接続管
１５  吸引部
１７  蒸気入口管
【図１】
2005061514.tif 000003